(57)【要約】【課題】  ローディングマップを開発するプロセスの効率を向上させるために、炉心設計担当者による経験及び経験則を獲得し、再利用するための方法を提供する。【解決手段】  原子炉の炉心テンプレートを作成し、編集する装置は、グラフィカルユーザインタフェース（１２）と、グラフィカルユーザインタフェースを制御して、原子炉の炉心の図形表現を表示するプロセッサ（１４）とを含む。グラフィカルユーザインタフェース（１２）を介して、プロセッサ（１４）は、図形表現における燃料バンドル位置に燃料バンドルを割り当てるため及び図形表現における燃料バンドル位置に割り当てられた燃料バンドルカテゴリを編集するためのうちの少なくとも一方の目的のためのグラフィカルツールをユーザに提供する。【選択図】  図１
2005114730.tif 000002
【特許請求の範囲】
【請求項１】
原子炉の炉心の図形表現を提供するグラフィカルユーザインタフェース（１２）を使用して、図形表現の中の燃料バンドル位置に燃料バンドルカテゴリを選択的に割り当てることから成る原子炉の炉心テンプレートを作成する方法。
【請求項２】
燃料バンドルカテゴリは未照射カテゴリ及びロックカテゴリを含み、未照射カテゴリは照射されたことのない燃料バンドルを挿入することを指示し、ロックカテゴリは、実際の原子炉の炉心において関連する燃料バンドル位置を現在占めている燃料バンドルが新たな原子炉炉心ローディングマップを作成するときにもその位置にとどまることを指示する請求項１記載の方法。
【請求項３】
燃料バンドルカテゴリは再挿入カテゴリを更に含み、再挿入カテゴリは既に照射されたことがある燃料バンドルを挿入することを指示する請求項２記載の方法。
【請求項４】
選択的に割り当てる過程は、燃料バンドルカテゴリのうちの選択された１つのカテゴリに対してバンドルグループ量を設定することと、選択された燃料バンドルカテゴリの設定されたバンドルグループ量を選択的に割り当てることとを含む請求項１記載の方法。
【請求項５】
選択的に割り当てる過程は、設定されたバンドルグループ量と関連し、原子炉の炉心の図形表現の１つ以上の象限において選択された燃料バンドルカテゴリを対称に繰り返すべきか否かを指示する対称性を選択的に設定することを更に含む請求項１記載の方法。
【請求項６】
少なくとも１つのカテゴリは、照射されたことのない燃料バンドルを挿入することを指示する未照射カテゴリであり、
選択的に割り当てる過程は、未照射燃料バンドルカテゴリを割り当てられた燃料バンドル位置に型指定を割り当てることを含む請求項１記載の方法。
【請求項７】
少なくとも１つのカテゴリは、既に照射されたことがある燃料バンドルを挿入することを指示する再挿入燃料バンドルカテゴリであり、
選択的に割り当てる過程は、再挿入カテゴリを割り当てられた燃料バンドル位置の各々に、照射済み燃料バンドルの属性に基づいて照射済み燃料バンドルを装荷する順序を示す優先順位を手動操作により割り当てることを含む請求項１記載の方法。
【請求項８】
少なくとも１つのカテゴリは再挿入燃料束カテゴリであり、
選択的に割り当てる過程は、再挿入カテゴリを割り当てられた燃料バンドル位置の各々に、照射済み燃料バンドルの属性に基づいて照射済み燃料バンドルを装荷する順序を示す優先順位を自動的に割り当てることを含む請求項１記載の方法。
【請求項９】
原子炉の炉心テンプレートを作成する方法において、
グラフィカルユーザインタフェースを使用して、原子炉の炉心のテンプレートを編集することから成る方法。
【請求項１０】
原子炉の炉心テンプレートを作成する装置において、
グラフィカルユーザインタフェース（１２）と、
前記グラフィカルユーザインタフェース（１２）を制御して、原子炉の炉心の図形表現を表示し、図形表現における燃料バンドル位置に燃料バンドルカテゴリを割り当てるため及び図形表現における燃料バンドル位置に割り当てられた燃料バンドルカテゴリを編集するためのうちの少なくとも一方の目的のためのグラフィカルツールをユーザに提供するプロセッサ（１４）とを具備する装置。
【発明の詳細な説明】
【背景技術】
【０００１】
原子炉の炉心において、各々が様々な属性を有する複数の燃料バンドルの配置を記述する情報はローディングマップと呼ばれる。従来の炉心設計では、ローディングマップの作成は経験に基づく、試行錯誤の反復プロセスである。
【０００２】
炉心設計担当者は、一般に、プラントサイクルエネルギー条件、熱限界及び動作限界、運転停止マージンなどの、プラント特有の、品質に重大な影響を及ぼすファクタを与えられる。また、炉心設計担当者は原子炉の炉心のレイアウトに関する情報、すなわち、核燃料バンドルが炉心内部でどのように配置されるかを指示する情報を手に入れる。品質に重大な影響を及ぼすファクタのうちのいくつかはレイアウトにも関連しているであろう。例えば、炉心設計担当者はレイアウト中のいくつかの燃料バンドルの位置どりを要求する入力を与えられることがある。
【０００３】
この情報を与えられた上で、炉心設計担当者は経験と、それまでの期間に開発してきた経験則に基づいて、炉心における燃料バンドルの初期配置を推量する。特に、炉心設計担当者は、炉心内部に配置すべき未照射燃料バンドルの数と、使用すべき未照射燃料バンドルの型を推量する。未照射燃料バンドルとは、まだ照射されたことのない燃料バンドルである。同じ型の燃料バンドルはほぼ同じ属性を有する。属性には燃料バンドルのウラニウム装荷、平均濃縮度、ガドリニア装荷、軸方向ゾーンの数、生産ライン及び熱機械的特性などが含まれるが、それらには限定されない。型の異なる未照射燃料バンドルは１つ以上の異なる属性を有する。使用すべき未照射燃料バンドルの数を決定する場合、炉心設計担当者は、その時点で炉心内部にある燃料バンドルのうちで再利用すべき燃料バンドルの数も決定している。その時点で炉心内部に存在している燃料バンドルを再利用することは、燃料バンドルを現在ある場所にそのまま残すか、又は燃料バンドルを炉心内部の異なる場所へ移動させるかのいずれかを意味している。
【発明の開示】
【発明が解決しようとする課題】
【０００４】
炉心設計の一部として、炉心設計担当者は、コントロールブレードの位置、炉心流量などの原子炉の炉心の他の動作パラメータを更に判定する。それらの動作制御パラメータを指定したならば、米国原子力規制委員会（ＮＲＣ）が許可したシミュレーションプログラムを初期炉心デザインに対して実行する。シミュレーションの結果に基づいて、炉心設計担当者は経験と経験則を利用して、設計において認知された問題を解決し、概して、特に品質に重大な影響を及ぼすファクタに関して設計を改善する。それらの変更はローディングマップの変更を含む場合がある。このプロセスは、炉心設計担当者が設計に満足するまで繰り返される。
【課題を解決するための手段】
【０００５】
本発明は、ローディングマップを開発するプロセスの効率を向上させるために、炉心設計担当者による経験及び経験則を獲得し、再利用するための方法を提供する。
【０００６】
本発明の一実施例では、グラフィカルユーザインタフェースは、コンピュータプロセッサの制御の下で、ローディングマップのテンプレートを設計し、セーブする能力をユーザに提供する。テンプレートは、炉心内部の各々の原子炉燃料バンドル位置に配置されるべき燃料バンドルのカテゴリを記述する。この実施例は、テンプレートで記述されている燃料バンドルのカテゴリに関する型及び／又は属性の情報を指定する能力を更にユーザに提供しても良い。
【０００７】
別の実施例においては、グラフィカルユーザインタフェースは、コンピュータプロセッサの制御の下で、設計中であるテンプレート又は以前に設計されたテンプレートを編集する能力をユーザに提供する。
【０００８】
更に別の実施例では、ユーザは原子炉の１サイクルに関してセーブされているローディングマップをアクセスし、ユーザ入力パラメータに基づいてローディングマップからテンプレートを取り出すことをコンピュータプロセッサに命令する。本発明の方法論に従って、コンピュータプロセッサはローディングテンプレートを取り出す。その後、ユーザは取り出されたテンプレートをセーブ及び／又は編集しても良い。
【０００９】
本発明は、以下に示す詳細な説明及び添付の図面から更に完全に理解されるであろう。図面中、同じ要素は同じ図中符号により表されている。尚、以下の説明及び図面は単なる例示を目的としており、本発明を限定するものではない。
【発明を実施するための最良の形態】
【００１０】
炉心ローディングテンプレートを実現するための一般的アーキテクチャ
図１は、本発明によるアーキテクチャの一実施例を示す。図示されるように、サーバ１０は、プロセッサ１４に接続されたグラフィカルユーザインタフェース１２を含む。プロセッサ１４はメモリ１６に接続されている。サーバ１０はユーザ入力装置１８（例えば、表示装置、キーボード及びマウス）により直接にアクセス可能である。また、サーバ１０は、イントラネット２０及びインターネット２４をそれぞれ介してコンピュータ２２及び２６によってもアクセス可能である。図１に示すアーキテクチャの動作を以下に詳細に説明する。
【００１１】
テンプレートの作成
ユーザは、入力装置１８、コンピュータ２６又はコンピュータ２２を介して、グラフィカルユーザインタフェース１２を経てサーバ１０をアクセスし、本発明の一実施例に従ってメモリ１６に格納されているローディングマップエディタプログラムを実行する。ローディングマップエディタは、テンプレートと呼ばれる原子炉の炉心の図形表現を作成し、編集する。しかし、テキストファイルなど、この情報を搬送する別の形態をテンプレートと考えても差し支えない。図２は、本発明のローディングマップエディタを使用し、本発明の方法論に従って設計された一部完成した状態のテンプレートの、炉心の４分の１に相当する画面図を示す。
【００１２】
ローディングマップエディタが最初に実行されるとき、ユーザは、以前に作成されたテンプレートをアクセスするか又は新たなテンプレートを開始するかをファイルメニュー３０を介して任意に選択できる。ユーザが新たなテンプレートを開始すると仮定した場合、ローディングマップエディタは、テンプレートを作成すべき対象である原子炉を識別することをユーザに要求する。次に、ローディングマップエディタは、メモリ１６に格納されている原子炉プラント特性を含むリレーショナルデータベースから識別された原子炉の配置を検索する。次に、ローディングマップエディタは、検索されたプラント特性に基づいて、適切な大きさのブランクで、色がついていない燃料バンドルフィールド３６を、行及び列に番号付けして表示する（図２の行６、列３の燃料バンドル位置など）。
【００１３】
燃料バンドルフィールド３６の中で、ユーザは、例えば、入力装置１８、コンピュータ２６及びコンピュータ２２と関連するマウスを使用して、可能な燃料バンドル位置のアレイの中の燃料バンドル位置３８をクリックして、その位置にある実際の燃料バンドルの型（未照射、再挿入又はロック）及びグルーピングを識別する。テンプレートに関して言えば、１つのバンドルグループは１つ、２つ、４つ又は８つのバンドルから構成されており、それに関連して、グループ内でバンドルは左右（鏡映）対称又は回転対称のいずれかとして実現される対ごとの対称を成している。図２の右側に示されるように、ローディングマップエディタはこの割り当てタスクを実行するためのいくつかのツールを提供する。特に、ツールはLoad Type（装荷型）４０、Bundle Grouping（バンドルグルーピング）５０及びNumbering Mode（番号付けモード）６０の見出しを含む。
【００１４】
Load Type４０のツール見出しの下に、ローディングマップエディタはFresh（未照射）ラジオボタン４２、Reinsert（再挿入）ラジオボタン４４及びLocked（ロック）ラジオボタン４６を含む。Fresh、Reinsert及びLockedの各ラジオボタン４２、４４及び４６は、それぞれ、未照射燃料バンドルカテゴリ、再挿入燃料バンドルカテゴリ及びロック燃料バンドルカテゴリに対応している。例えば、ユーザは所望のラジオボタンをクリックして所望のカテゴリを選択し、次に、燃料バンドルフィールド３６の燃料バンドル位置３８をクリックして、そのカテゴリを燃料バンドル位置３８に割り当てる。未照射燃料バンドルカテゴリは、まだ照射されたことのない燃料バンドルを挿入することを指示する。そこで、ローディングマップエディタは燃料バンドル位置３８の下部に「Ｆ」と、番号「Ｎ」を表示する。「Ｆ」は未照射燃料バンドルカテゴリを示し、番号「Ｎ」はＮ番目の未照射バンドル型３８を示す。ローディングマップエディタが炉心に割り当てられた燃料バンドル型の数のカウントを維持していることは理解されるであろう。各々の位置に同じ「Ｆ」及び「Ｎ」値を指定することにより、複数のバンドル位置に同じバンドル型を割り当てることができる。
【００１５】
ロック燃料バンドルカテゴリは、実際の原子炉の炉心において関連する燃料バンドル位置を現在占めている燃料バンドルが新たな原子炉の炉心ローディングマップを作成するときにもその位置にとどまるべきであることを指示する。ロック燃料バンドルカテゴリが割り当てられた場合、ローディングマップエディタは燃料バンドル位置３８に「Ｌ」及び番号「Ｎ」を表示する。「Ｌ」はロック燃料バンドルカテゴリを示し、番号「Ｎ」はＮ番目のロックバンドルグループを示す。
【００１６】
再挿入燃料バンドルカテゴリは、既に照射されたことがある燃料バンドルを挿入することを指示する。再挿入燃料バンドルカテゴリが割り当てられた場合には、ローディングマップエディタは燃料バンドル位置３８に番号「Ｎ」のみを表示する。番号は燃料バンドル位置３８の優先順位を示す。番号及びその番号により指示される優先順位については、Numbering Mode６０の見出しに関して以下に詳細に説明する。
【００１７】
一実施例では、ローディングマップエディタは燃料バンドル位置３８を割り当てられたカテゴリと関連する色で表示する。例えば、未照射は青色で表示され、ロックは黄色で表示され、再挿入は紫色で表示される。
【００１８】
Bundle Grouping５０の見出しの下には、ローディングマップエディタは「１」ラジオボタン、「２」ラジオボタン、「４」ラジオボタン及び「８」ラジオボタンを含む。例えば、「１」ラジオボタンをクリックすることにより、ユーザが「１」ラジオボタンを選択すると、ユーザにより燃料バンドル位置３８に割り当てられるカテゴリは選択された燃料バンドル位置３８のみと関連している。「２」ラジオボタンを選択し、燃料バンドル位置３８にカテゴリを割り当てた場合には、カテゴリは選択された燃料バンドル位置と、選択された燃料バンドル位置に対して１８０°対称の位置にある燃料バンドル位置とに割り当てられる。「４」ラジオボタンを選択した場合には、ローディングマップエディタはユーザに回転対称又は左右対称のいずれかを選択することを要求する。回転対称は、中心点があり、その周囲を物体がある角度ずつ回転され、物体はそれでも尚同じところを見ている（すなわち、物体が回転されている間に何度か一致する）ことを示す画像特性である。左右対称（又は線対称）は、分割線の両側で各部分の大きさ、形状及び相対的位置関係が一致することを示す。回転対称が選択された場合にユーザが燃料バンドル位置にカテゴリを割り当てると、そのカテゴリは選択された燃料バンドル位置と、選択された燃料バンドル位置に対して回転対称であるその他の象限の各々にある燃料バンドル位置３８とに割り当てられる。左右対称が選択された場合にユーザが燃料バンドル位置にカテゴリを割り当てると、そのカテゴリは選択された燃料バンドル位置と、選択された燃料バンドル位置に対して対称であるその他の象限の各々にある燃料バンドル位置とに割り当てられる。
【００１９】
「８」ラジオボタンを選択した場合には、ローディングマップエディタは燃料バンドルフィールド３６全体を八分円対称、すなわち、８つの対称に切り分けられたパイ部分として考える。「８」ラジオボタンが選択された場合に燃料バンドル位置にカテゴリを割り当てると、そのカテゴリは選択された燃料バンドル位置３８と、選択された燃料バンドル位置３８に対して対称である他の８つのパイ部分の各々にある燃料バンドル位置３８とに割り当てられる。
【００２０】
ローディングマップを形成するなどの目的のためにローディングテンプレートが使用中であるときに、１つの燃料バンドル位置３８を（例えば、クリックすることにより）選択すると、ローディングマップエディタは選択された燃料バンドル位置３８を含むグループのメンバを強調表示する。
【００２１】
Numbering Mode６０の見出しの下には、ローディングマップエディタはAutomatic（自動）ラジオボタン６２及びManual（手動）ラジオボタン６４を含む。Automaticラジオボタン６２を選択することにより自動番号付けモードを選択すること及びManualラジオボタン６４を選択することにより手動操作番号付けモードを選択することは、Reinsertラジオボタン４４又はFreshラジオボタン４２が選択されている場合に限って許可される。一般に、Lockedラジオボタン４６が選択されているときに番号付けモードを適用することはできない。
【００２２】
Automaticラジオボタン６２が選択されると、再挿入燃料バンドルカテゴリを割り当てられた燃料バンドル位置３８の数のカウントを維持しているローディングマップエディタは、再挿入燃料バンドルカテゴリを割り当てられた次の燃料バンドル位置３８にそのカウント＋１を割り当てる。割り当てられた番号は燃料バンドル位置３８の下部に表示される。同様に、ローディングマップエディタは未照射バンドル型のカウントを維持している。燃料バンドル位置３８が未照射燃料バンドルカテゴリを割り当てられると、先にＮとして示したそのカウントに１を加えた番号がその位置に割り当てられる。未照射燃料バンドル位置の下部に「Ｆ」及びＮの値が表示される。
【００２３】
Manualラジオボタン６４が選択された場合には、ローディングマップエディタは再挿入燃料バンドルカテゴリを割り当てられた燃料バンドル位置３８の数のカウントを維持するが、燃料バンドル位置３８に番号を割り当てない。その代わりに、ユーザが燃料バンドル位置３８にカーソルを位置決めし、手動操作により番号を入力できる。先に示唆した通り、割り当てられる番号は割り当てられる優先順位を表す。優先順位は、既に照射されたことがある燃料バンドルの属性に基づいて照射済み燃料バンドルを装荷する順序を示す。属性にはＫ無限（燃料バンドルのエネルギー含量の周知の尺度）、バンドルの照射量（バンドル中のウラニウムの累積メガワット‐日毎メートルトン）、バンドルの滞留時間（バンドルが原子炉の炉心にどれほど長く滞留しているかを示す）などが含まれるが、それらに限定されない。一実施例では、割り当てられる優先順位に従って、再挿入燃料バンドル位置と関連する色の明度が変化する（より明るく又はより暗く）。
【００２４】
本発明によるローディングマップエディタは、ビューメニュー３４及びズームスライドボタン７０を介するいくつかの表示オプションを更に提供する。ズームスライドボタン７０をクリックし、左右にドラッグすることによりズームスライドボタン７０を調整すると、表示されている燃料バンドルフィールド３６の大きさが増減する。ビューメニュー３４の下では、ユーザはテンプレートの１つの象限のみを見るか、又はテンプレートの炉心全体を見るかを選択できる。更に、ユーザはいくつかのテンプレート属性が表示されるか否かを制御できる。特に、ビューメニュー３４はローディングテンプレートにコントロールブレード、バンドル座標、炉心座標などを選択するオプションを含む。
【００２５】
ローディングテンプレートを作成し終わったならば、テンプレートが一部しか完成していない状態であっても、ユーザはファイルメニュー３０にある「Save（セーブ）」又は「Save As（セーブアズ）」のいずれかのオプションを選択することにより、テンプレートをメモリ１６にセーブしても良い。
【００２６】
先に述べたように、新たなテンプレートを作成するのではなく、以前に作成されたテンプレートを表示し、それを任意に編集しても良い。ユーザはファイルメニュー３０を使用して、「open（開く）」オプションを選択する。そこで、ローディングマップエディタは、メモリ１６又はメモリ１６の１つのディレクトリに格納されているアクセス可能なテンプレートを表示する。次に、ユーザは、例えば、アクセス可能なテンプレートのうちの１つをクリックすることにより、１つのアクセス可能なテンプレートを選択する。ローディングマップエディタは選択されたテンプレートを表示する。
【００２７】
その後、ユーザは選択されたテンプレートを編集しても良い。例えば、１つの燃料バンドル位置３８を選択した後、ユーザは編集メニューに従って、その燃料バンドル位置３８に割り当てられたカテゴリを「clear（クリア）」することを選択しても良い。この燃料バンドル位置３８に割り当てられたカテゴリの他に、ローディングマップエディタは関連する燃料バンドル位置３８に割り当てられたカテゴリもクリアする。関連する燃料バンドル位置３８とは、クリアするために選択された燃料バンドル位置３８にカテゴリが割り当てられたときに選択されたバンドルグルーピングの関係上、クリアするために選択された燃料バンドル位置３８と共にその燃料バンドルカテゴリを割り当てられた燃料バンドル位置３８である。
【００２８】
未照射カテゴリ又は再挿入カテゴリを割り当てられた燃料バンドル位置３８がクリアされる場合、ローディングマップエディタはそのカテゴリと関連する番号付けを調整する。未照射燃料バンドルカテゴリの場合、これは他の燃料バンドル位置が同じ未照射バンドル型を割り当てられているか否かに基づく条件付きアクションである。特に、ローディングマップエディタは、クリアされた燃料バンドル位置と同じカテゴリを割り当てられ、より大きな番号を有する燃料バンドル位置が削除された燃料バンドル位置の最小の番号から始めて順次番号付けし直されるように、カスケード動作を実行する。例えば、４４、４３及び４２と番号付けされた再挿入燃料バンドル位置がクリアされたとすると、番号４５を有する再挿入燃料バンドル位置が新たに４２と番号付けされ、番号４６を有する再挿入燃料バンドル位置が新たに４３と番号付けされ、それ以降も同様に番号付けされると考えられる。また、ローディングマップエディタはクリアすべきカテゴリを割り当てられた燃料バンドル位置の総カウントも変更する。
【００２９】
編集によって割り当てなしの燃料バンドル位置が作成されたときには、ユーザは、テンプレートを作成する場合に関して先に説明したのと同じ方法で、同じツールを使用して、割り当てのないバンドル位置に新たにカテゴリを割り当てることができる。割り当てを実行する際に、ユーザは、例えば、新たに割り当てられた再挿入燃料バンドル位置に既存の優先順位を手動操作により割り当てることを決定しても良い。この場合、既にこの番号を有する再挿入燃料バンドル位置及びそれより大きい番号を有する各々の再挿入燃料バンドル位置は１ずつ増分される。
【００３０】
更に別の例として、ユーザは１つの原子炉に関する既存のテンプレートを同じ大きさ、同じ物理的バンドル構成の別の原子炉に適応させることを望む場合がある。これを実行するときには、ユーザはファイルメニュー３０の「save as」機能を使用して、ローディングテンプレートの複製を作成すれば良い。その後に実行されるバンドルフィールドの変更は、コピーされたテンプレートにも適用される。
【００３１】
「スクラッチ」からテンプレートを作成すること又は既存のテンプレートを編集することに加えて、ユーザはローディングマップエディタに以前に装荷された炉心からのテンプレートを取り出させることもできるであろう。ローディングマップエディタにおいて、ユーザはファイルメニュー３０を使用して、「auto‐generate template（テンプレート自動生成）」オプションを選択する。そこで、ローディングマップエディタはメモリ１６に格納されているアクセス可能な燃料サイクルのリストを表示する。各々の燃料サイクルは原子炉の燃料サイクルに関わる実際のローディングマップに対応している。メモリ１６が様々に異なる原子炉のサイクルに関するローディングマップを格納できることは理解されるであろう。従って、ローディングマップエディタにより表示されるサイクルのリストは原子炉とサイクルの双方を識別する。リストから、ユーザはテンプレートを取り出すことになるサイクル（以後、「選択されたサイクル」という）を選択する。次に、ローディングマップエディタは選択されたサイクルのローディングマップをアクセスする。
【００３２】
そこで、取り出しプロセスの入力パラメータを入力するためのダイアログボックスがユーザに対して提示される。入力パラメータは、テンプレートを取り出すための一次属性（例えば、照射量、Ｋ無限など）、許容差レベル（以下に詳細に説明する）、グループリストメンバ（８、４又は２バンドルグーピング）、４のグループの場合のバンドル対称性、及び各グループリストメンバに対する割り当ての最大数を含む。例えば、ユーザは一次属性としてＫ無限を入力し、０．２の許容差レベル（以下に詳細に説明するように、これはバンドルグループを形成するために使用される）を入力しても良い。更に、ユーザは８及び４のグループが許可されること、４のグループは左右対称を有するべきであること及び最大で１４の４のグループが許可されることを入力しても良い。一実施例では、ローディングマップエディタはユーザにドロップダウンメニューを提供する。ユーザは、ドロップダウンメニューに示されるオプションからテンプレートに望まれるリストメンバを選択する。それらのオプションは８、４及び２のグループ、８及び４のグループ、８のグループ（原子炉の炉心テンプレートの短軸上に４のグループを強制する）、並びに４及び２のグループを含む。グループごとの割り当ての最大数を選択するときに、ユーザはこのデータを最小グループサイズから最大グループサイズの順に入力する。しかし、最大グループに対する割り当ての最大数はより小さなグループに対する割り当ての最大数に基づいて自動的に判定されるため、この値はユーザにより入力されない。
【００３３】
ユーザが入力パラメータを入力したならば、ローディングマップエディタはテンプレートを生成し始める。
【００３４】
まず、ローディングマップエディタはユーザにロック燃料バンドル位置が許可されるか否かを尋ね、許可されるのであれば、ローディングマップエディタは、選択されたサイクル以前のサイクルを選択されたサイクルが識別されたのと同じ方式で識別することをユーザに要求する。次に、ローディングマップエディタは選択されたサイクルのローディングマップを識別された原子炉の以前のサイクルのローディングマップと比較する。特に、原子炉のバンドル位置ごとに、ローディングマップエディタは、選択されたサイクル及び以前のサイクルのローディングマップが同じバンドル位置に同じ通し番号のバンドルを有するか否かを判定する。有していれば、ローディングテンプレートにおいてそのバンドル位置にロック燃料バンドルカテゴリが割り当てられる。
【００３５】
ロック燃料バンドル位置が識別された後、ローディングマップエディタは未照射燃料バンドル位置を識別する。特に、まだロックバンドル位置と識別されていないバンドル位置ごとに、ローディングマップエディタは選択されたローディングマップの特性から、そのバンドル位置にある燃料バンドルが未照射燃料バンドルであるか否かを判定する。識別された未照射燃料バンドルごとに、ローディングマップエディタは選択されたローディングマップの特性から、更に未照射燃料バンドルの型を判定する。次に、ローディングマップエディタはテンプレート中の関連する燃料バンドル位置に未照射燃料バンドルカテゴリを割り当て、その燃料バンドル位置に型カウント番号Ｎを割り当てる。選択されたローディングマップの中に配置されている未照射燃料バンドルの型ごとに、ローディングマップエディタはその型にカウント値を割り当てる。次に、同じ型の未照射燃料バンドルを有するべき未照射燃料バンドル位置がローディングテンプレートにおいて同じ値「Ｎ」により識別されるように、このカウント値は未照射燃料バンドルカテゴリ割り当てと共にバンドル位置に割り当てられる。
【００３６】
次に、ローディングマップエディタは、識別された未照射燃料バンドルカテゴリ位置が何らかのバンドルグループを形成するか否かを判定する。先に述べたように、ユーザはテンプレートで許可されたバンドルグループメンバを識別する。バンドルグループメンバはグループメンバリストを形成する。未照射燃料バンドルカテゴリを割り当てられたバンドル位置ごとに、ローディングマップエディタは、まず、そのバンドル位置（以下、「現在のバンドル位置」という）が既に１つのグループに割り当てられているか否かを判定する。既に割り当てられていれば、ローディングマップエディタは次のバンドル位置へ進む。割り当てられていない場合には、ローディングマップエディタはグループメンバリストから最大グループを選択し、現在のバンドル位置と共に１つのグループを形成するバンドル位置の各々を識別する。グループを形成するバンドル位置の各々が未照射燃料バンドルカテゴリを割り当てられ且つ現在のバンドル位置と同じ型である場合、ローディングマップエディタはバンドル位置のグループを１つのグループとして記録する。グループを形成するバンドル位置の各々が未照射燃料バンドルカテゴリを割り当てられていないか、又はバンドルの１つが現在のバンドル位置と同じ型ではない場合には、ローディングマップエディタはグループメンバリストの次に大きなバンドルグループに対して先に説明したプロセスを実行する。このプロセスは、１つのグループが形成されるか又はグループメンバリストに試験すべきグループがなくなるまで繰り返される。グループメンバリストのメンバの試験が終了し、グループが１つも形成されなかった場合には、現在のバンドル位置はグループに属さないとして記録される。
【００３７】
次に、ローディングマップエディタは再挿入燃料バンドル位置を識別する。ロック燃料バンドルカテゴリ又は未照射燃料バンドルカテゴリを割り当てられないテンプレートのバンドル位置は、再挿入燃料バンドルカテゴリを割り当てられる。次に、ローディングマップエディタは再挿入燃料バンドルカテゴリ位置が何らかのバンドルグループを形成するか否かを判定する。再挿入燃料バンドルカテゴリを割り当てられたバンドル位置ごとに、ローディングマップエディタは、まず、そのバンドル位置（以下、「現在のバンドル位置」という）が既に１つのグループに割り当てられているか否かを判定する。既に割り当てられていれば、ローディングマップエディタは次のバンドル位置へ進む。割り当てられていない場合には、ローディングマップエディタはグループメンバリストから最大グループを選択し、現在のバンドル位置と共にグループを形成するバンドル位置の各々を識別する。グループを形成するバンドル位置の各々が再挿入燃料バンドルカテゴリを割り当てられていない場合、ローディングマップエディタは、グループメンバリストにおける次に大きいグループが全ての再挿入燃料バンドル位置を含むか否かを判定する。グループメンバリストのどのグループも再挿入燃料バンドルのグループの形成に至らない場合には、ローディングマップエディタは現在燃料バンドル位置をグループに属さないとして記録する。
【００３８】
グループが形成されたならば、ローディングマップエディタはそのグループの平均属性値を計算する。先に述べたように、ユーザはテンプレートを取り出すときに使用すべき一次属性を識別していた。ここで、ローディングマップエディタは、テンプレート中の関連するグループを形成する選択されたローディングマップにおける燃料バンドルごとのその属性値を使用して、平均属性値を計算する。次に、ローディングマップエディタは、グループ内の燃料バンドルごとの属性値が平均属性から許容差レベル内にあるか否かを判定する。この場合、許容差レベルも先に述べたようにユーザ入力設計パラメータであった。
【００３９】
グループ内の燃料バンドルごとの属性値が平均属性値の許容差レベル内にある場合、ローディングマップエディタはテンプレート中の関連する燃料バンドル位置を１つのグループに属するとして記録する。そうでない場合には、ローディングマップエディタはグループメンバリストにおける次に大きいバンドルグループに対して先に説明したプロセスを実行する。このプロセスは、１つのグループが形成されるか又はグループメンバリストに試験すべきグループがなくなるまで繰り返される。グループメンバリストのメンバの試験が終了し、グループが全く形成されなかった場合には、現在のバンドル位置はグループに属さないとして記録される。
【００４０】
次に、ローディングマップエディタは、グループメンバリストにおける１つのグループに対してユーザが指定した最大値が違反されたか否かを判定する。違反されていれば、エディタはグループ組み換え及びランク付けプロセスを実行する。例えば、２のグループの数がユーザ指定最大値を超えていた場合、エディタは次のように動作する。２のグループごとに、ローディングマップエディタは、別の２のグループがユーザにより入力された対称性要件に適合する４のグループを形成するか否かを判定する。次に、ローディングマップエディタは、新たに形成された４のグループになりうるグループについて平均属性値及び標準偏差を判定し、最小標準偏差に基づいて４のグループになりうるグループをランク付けする。次に、２のグループがユーザ入力に基づいて許容される最大数を超えなくなるまで、最高ランクを付けられたグループ（すなわち、標準偏差が最小であるグループ）を４のグループに割り当てる。割り当てをされなかった４のグループになりうるグループは２のグループとして残る。次に、ユーザ入力パラメータが８のグループを許可しており、４のグループに対してユーザが指定した最大数が違反されていたと仮定して、４のグループを８のグループに組み換えるために同じプロセスが実行される。
【００４１】
最後のステップとして、再挿入燃料バンドルは、先に説明したようにテンプレート中に現れる優先順位番号を割り当てられる。燃料バンドル位置は、（１）燃料バンドル位置がグループの一部を形成しない場合は、ローディングマップの関連する位置にある燃料バンドルの属性値に基づいてランク付けされ、（２）燃料バンドル位置がグループの一部を形成する場合には、そのグループの平均属性値によりランク付けされる。そこで、優先順位番号はこのランク付けにより割り当てられ、同じ平均属性値を有する燃料バンドルは同じ優先順位番号を割り当てられることになる。
【００４２】
これでテンプレート取り出しプロセスは完了し、その結果生成されるテンプレートはローディングマップエディタに表示され、ユーザは得られたテンプレートを後の使用に備えてセーブすることができる。
【００４３】
先に説明したように本発明を使用して、炉心設計担当者はローディングマップの初期デザインと関連する経験と経験則を獲得できる。更に、この知識を他の者が利用して、既存のテンプレートを改善すること又は既存の炉心デザインにテンプレートを適応させることもできるであろう。
【００４４】
以上、本発明を説明したが、数多くの方法により本発明を変形できることは自明であろう。なお、特許請求の範囲に記載された符号は、理解容易のためであってなんら発明の技術的範囲を実施例に限縮するものではない。
【図面の簡単な説明】
【００４５】
【図１】本発明によるアーキテクチャの一実施例を示す図。
【図２】本発明のローディングマップエディタを使用し、本発明の方法論に従って設計された一部完成した状態のテンプレートの画面図。
【符号の説明】
【００４６】
１０…サーバ、１２…グラフィカルユーザインタフェース、１４…プロセッサ、１６…メモリ、１８…ユーザ入力装置、２０…イントラネット、２２…コンピュータ、２４…インターネット、２６…コンピュータ
【図１】
2005114730.tif 000003
【図２】
2005114730.tif 000004
【外国語明細書】
2005114730000001.pdf